(57)【特許請求の範囲】
【請求項１】
使用者がまたがって座る座部と、
前記座部から延在し、前記使用者の腹部が接触する腹当部と、
前記腹当部の側面に設けられ、前記使用者の左側の側腹部が接触する左側腹当部と、前記使用者の右側の側腹部が接触する右側腹当部と、を備え、
前記座部は第一振動機構を有し、前記左側腹当部は第二振動機構を有し、前記右側腹当部は第三振動機構を有し、
前記左側腹当部の左側端部と前記右側腹当部の右側端部とは、離間していることを特徴とする振動装置。
【請求項２】
請求項１に記載の振動装置において、
前記座部から延在し、前記使用者の臀部と接する後方座部と、を有することを特徴とする振動装置。
【請求項３】
請求項１又は２に記載の振動装置において、
前記座部と前記腹当部と前記後方座部とが一体に成形されており、
前記座部に対して、一方に前記腹当部が上方に延在し、他方に前記後方座部が上方に延在することを特徴とする振動装置。
【請求項４】
請求項１〜３のいずれか１項に記載の振動装置において、
前記第一振動機構により骨盤底筋群が振動され、
前記第二振動機構により前記使用者の左側の側腹部が振動され、
前記第三振動機構により前記使用者の右側の側腹部が振動されることを特徴とする振動装置。
【請求項５】
請求項１〜４のいずれか１項に記載の振動装置において、
前記第一振動機構は、１０〜８０Ｈｚで振動し、
前記第二振動機構及び前記第三振動機構は、５〜４０Ｈｚで振動することを特徴とする振動装置。
【請求項６】
請求項１〜５のいずれか１項に記載の振動装置において、
前記第一振動機構と前記第二振動機構と前記第三振動機構とが同時にまたは交互に振動することを特徴とする振動装置。
【請求項７】
請求項１〜６のいずれか１項に記載の振動装置において、
前記腹当部は、加熱温度が３０〜５０℃である加熱機構を有することを特徴とする振動装置。
【請求項８】
請求項１〜７のいずれか１項に記載の振動装置において、
前記座部、前記左側腹当部、前記右側腹当部の外装は弾性体であることを特徴とする振動装置。
【発明の詳細な説明】
【技術分野】
【０００１】
本発明は、使用者がまたがって使用する振動装置に関する。
【背景技術】
【０００２】
便秘とは大腸内の排泄物である便の通過が遅くなったり、腸内に便が長時間とどまったりするなど排便が順調に行われない状態のことをいう。一般的に排便のない状態が3日程度続く症状が便秘といわれている。
【０００３】
便秘は、腸内に便が長期間溜まるため腸内細菌に悪い影響を与えることが知られている。例えば、悪玉菌が増殖することで発ガン物質、発ガン促進物質、アンモニア、硫化水素などの有害物質を発生させる。そして、便秘が続くことによりそれらの有害物質は腸壁から吸収され様々な病気を引き起こす原因となる。
【０００４】
１０歳代〜５０歳代までは女性の有病率が男性より３〜６倍も高いことが知られている。また、加齢とともに腹筋力や腹圧の低下によって排便しにくくなり、骨盤底筋の運動機能が低下するなどの要因が重なるため、高齢者の便秘症の有病率は高くなる。
【０００５】
そこで、便秘を改善するために様々な装置や器具が考案されている。例えば、排便を促すツボを狙って局部的な刺激を与える装置（特許文献１）、背中から仙骨とその付近に刺激を与えて便秘改善可能な装置（特許文献２）、体外から超音波を当てることで排便を促進する装置（特許文献３）などがある。
【０００６】
特許文献１に記載の装置は、使用者の臀部における肛門付近のツボや、臀部における左右の膨らみの各頂部付近のツボを刺激するためのバイブレーターやエアセルを組み込み、バイブレーターやエアセルを交替に膨張・収縮させるマッサージ機である。
【０００７】
特許文献２に記載の装置は、仙骨、または腰椎及び仙骨にかけてあてがうことのできる一つ以上のヘッドとヘッドに固定された圧電振動子を備え、超音波振動を出力する装置である。周波数1.0MHz〜3.0MHzの超音波を仙骨、または腰椎及び仙骨にあてることにより排便を促すとしている。
【０００８】
特許文献３に記載の装置は、腹部に超音波をあてる処置を行った後，腹部に振動を与えながら吸引を行うことにより排便促進を行う装置である。超音波を腹部にあてたり、腹部に振動を与えたりすることにより、腸の蠕動運動を活発化させ排便を促進する効果を目的としている。
【先行技術文献】
【特許文献】
【０００９】
【特許文献１】特開２００１−１１２８２９号公報
【特許文献２】特開２０１３−１７６０９号公報
【特許文献３】特開２０１６−２３８６号公報
【発明の概要】
【発明が解決しようとする課題】
【００１０】
しかしながら、特許文献１の装置は機構が極めて複雑であり、高額な装置となる。また、臀部にあるツボをエアセルなどにより押圧するのみであるため、大腸への刺激がなく、症状の重い便秘症の人に対して排便を促す効果は期待できない。
【００１１】
また、特許文献２の装置は、背中から仙骨、または腰椎及び仙骨にかけて超音波を当てることで、仙骨又は腰椎付近の便秘と関係するつぼや副交感神経などが刺激されて便秘が改善されるとしている。しかし、つぼなどを刺激するための位置にヘッドを当てる操作に熟練が必要であり、また大腸や骨盤底筋群に刺激を与えないため、便秘の状態が重たい人に対して便秘の改善効果は期待できない。
【００１２】
さらに、特許文献３の装置は、腹部または背中の一箇所にプローブを当て、超音波をあてる超音波処置を行った後，振動吸引機構により腹部に振動を与えながら吸引を行う振動吸引を行うため、操作に熟練が必要となる。また、部分的な大腸への刺激にとどまり、大腸と骨盤底筋群に同時に刺激を与えないため便秘の状態が重たい人に対しては大きな効果は期待できない。
【００１３】
本発明は、前記の課題を解決するためになされたものであって、便秘の症状が重い人でも効果的に排便を促進させることのできる操作の簡単な装置を提供することを目的とする。
【課題を解決するための手段】
【００１４】
本発明に係る振動装置は、使用者がまたがって座る座部と、前記座部から延在し、前記使用者の腹部が接触する腹当部と、前記腹当部の側面に設けられ、前記使用者の左側の側腹部が接触する左側腹当部と、前記使用者の右側の側腹部が接触する右側腹当部と、を備え、前記座部は第一振動機構を有し、前記左側腹当部は第二振動機構を有し、前記右側腹当部は第三振動機構を有し、前記左側腹当部の左側端部と前記右側腹当部の右側端部とは、離間していることを特徴とする。
【００１５】
前記振動装置は、前記座部から延在し、前記使用者の臀部と接する後方座部と、を有することを特徴とする。
【００１６】
前記振動装置は、前記座部と前記腹当部と前記後方座部とが一体に成形されており、前記座部に対して、一方に前記腹当部が上方に延在しており、他方に前記後方座部が上方に延在していることを特徴とする。
【００１７】
前記振動装置は、前記第一振動機構により骨盤底筋群が振動され、前記第二振動機構により使用者の左側の側腹部が振動され、前記第三振動機構により使用者の右側の側腹部が振動されることを特徴とする。
【００１８】
前記振動装置は、前記第一振動機構が１０〜８０Ｈｚで振動し、前記第二振動機構及び前記第三振動機構が５〜４０Ｈｚで振動することを特徴とする。
【００１９】
前記振動装置は、前記腹当部が加熱機構を有し、加熱温度は３０〜５０℃であることを特徴とする。
【００２０】
前記振動装置は、前記座部、前記左側腹当部、前記右側腹当部の外装は弾性体であることを特徴とする。
【発明の効果】
【００２１】
本発明によれば、座部に備えられた第一振動機構と、左側腹当部に備えられた第二振動機構及び右側腹当部に備えられた第三振動機構が同時又は交互に振動を与える振動装置により、便秘の症状が重い人でも排便を効果的に促進させることができる。
【図面の簡単な説明】
【００２２】
【図１】本発明の実施形態に係る振動装置の斜視図である。
【図２】本発明の実施形態に係る振動装置の左側面図である。
【図３】本発明の実施形態に係る振動装置の背面図である。
【図４】本発明の実施形態に係る振動装置の制御部の構成を示すブロック図である。
【図５】本発明の実施形態に係る振動装置の使用状態を表した図である。
【図６】本発明の実施形態に係る振動装置の使用状態の断面を表した概略図である。
【図７】本発明の実施形態に係る振動装置の使用方法の工程図である。
【図８】本発明の実施形態の変形例１に係る振動装置の使用方法の工程図である。
【発明を実施するための形態】
【００２３】
以下、本発明の実施形態について図面を参照して説明する。図１は本発明の実施形態に係る振動装置１０の斜視図であり、図２は本発明の実施形態に係る振動装置１０の右側面図、図３は本発明の実施形態に係る振動装置の背面図である。
【００２４】
＜本発明の実施形態に係る振動装置１０の構成＞
図１及び図２に示すように、振動装置１０は、座部１２、腹当部１４、左側腹当部１６、右側腹当部１８及び後方座部２０を備える。振動装置１０では、腹当部１４と座部１２と後方座部２０とがこの順番に一体に成形されている。そして、腹当部１４及び後方座部２０は、座部１２に対して、上方に延在している。
【００２５】
座部１２の短手方向の幅は、使用者がまたがって座ることができる幅である。腹当部１４は、座部１２に対して上方に延在しており、腹当部１４は使用者が座部１２にまたがって座ることで使用者の腹部に接触するように形成される。そして、加熱機構２７は腹当部１４の中央内部に設けられ、制御部２１は腹当部１４の内部に設けられる。
【００２６】
図２及び図３に示すように、左側腹当部１６及び右側腹当部１８は、それぞれ腹当部１４の左側面と右側面に所定の角度をもって構成される。ここで所定の角度は５５〜７５度の角度で、好ましくは６０〜７０度の角度で調整される。そして、使用者が座部１２に座ると、使用者の腹部が腹当部１４に、左側腹当部１６は使用者の左側腹部に、右側腹当部１８は使用者の右側腹部にそれぞれ接触するように構成される。
【００２７】
図１及び図２に示すように、後方座部２０は、座部１２に対して，上方に延在することにより、使用者の臀部を保持する。後方座部２０の高さは、座部１２の座面に対して１００〜１３０ｍｍ、好ましくは１１０〜１２０ｍｍの間で調整される。
【００２８】
また、座部１２、腹当部１４、左側腹当部１６、右側腹当部１８及び後方座部２０の外装は弾性体で形成される。
【００２９】
図２及び図３に示すように、第一振動機構２２は、座部１２の内部であって、後方座部１４よりに設けられる。第二振動機構２４は、左側腹当部１６の内部に、第三振動機構２６は、右側腹当部１８の内部に設けられる。
【００３０】
第一振動機構２２、第二振動機構２４及び第三振動機構２６は、例えば、振動モーターで構成される。そして、第一振動機構２２は１０〜８０Ｈｚで振動し、第二振動機構２４及び第三振動機構２６は５〜４０Ｈｚで振動する。
【００３１】
図２に示すように、制御部２１は腹当部１４の内部に設けられる。図４に示すように、制御部２１は第一振動機構２２、第二振動機構２４、第三振動機構２６、加熱機構２７、及び図示しないタイマー１、タイマー２、スイッチを制御する。タイマー１はそれぞれの振動機構が振動している時間を計測し、タイマー２はスイッチが押されてから振動装置１０が作動している全体の時間を計測する。
【００３２】
本実施形態の振動装置１０は、基本的には以上のように構成される。次に、振動装置１０を用いる方法について説明する。
【００３３】
＜振動装置１０の使用方法＞
図５は、本発明の実施形態に係る振動装置１０の使用状態の図である。図６は、本発明の実施形態に係る振動装置１０の使用状態の断面概略図であり、使用者が振動装置１０にまたがって座ったときの振動装置１０の断面図と使用者の体の内部器官の概略図を示している。
【００３４】
図５に示したように、使用者は振動装置１０を椅子の上においてまたがって座り、腹当部１４を両手で抱えるようにして使用者の腹部と腹当部１４と接触させる。この時、左側腹当部１６及び右側腹当部１８はそれぞれ腹当部１４の左側面と右側面に所定の角度で構成されているため、使用者の腹部が腹当部１４に接触すると、左側腹当部１６は使用者の左側腹部に、右側腹当部１８は使用者の右側腹部にそれぞれ接触する。
【００３５】
図６より、使用者が座部１２にまたがって座ると、後方座部２０は座部１２より上方に延在しており、使用者の臀部２８に接触して持ち上げた状態となるため使用者の肛門部３０は第一振動機構２２の上方に位置する。
【００３６】
次に、図７を用いて、本発明の実施形態に係る振動装置１０の使用方法について説明する。図７は、本発明の実施形態に係る振動装置１０の使用方法の説明図であり、第一振動機構２２と第二振動機構２４及び第三振動機構２６とが交互に振動を繰り返すモードである。
【００３７】
使用者が振動装置１０にまたがって座った後にスタートボタンを押すと、第二振動機構２４及び第三振動機構２６が所定の振動数で振動を開始する（Ｓ１）。また、スタートボタンとは別に用意した加熱ボタンを押すことにより、加熱機構２７が所定の温度まで加熱し、使用者の腹部を加熱することができる。
【００３８】
第二振動機構２４は使用者の左側腹部を、第三振動機構２６は使用者の右側腹部を振動させることで使用者の側腹部の内部にある大腸３４を振動させる。
【００３９】
第二振動機構２４及び第三振動機構２６は５〜４０Ｈｚで振動し、振動は使用者の左右の側腹部を通して大腸３４まで到達し、大腸３４の蠕動運動を促し、大腸３４に溜まった便の排出が促される。
【００４０】
その後、図示しないタイマー１により所定の時間が計測されると制御部２１は第二振動機構２４及び第三振動機構２６を停止させる（Ｓ２）。
【００４１】
制御部２１は第二振動機構２４及び第三振動機構２６を停止させた直後に第一振動機構２２を所定の振動数で振動を開始させる（Ｓ３）。第一振動機構２２が振動すると使用者の肛門部３０を振動させ、さらに肛門部３０の上方にある骨盤底筋群３２を振動させることで骨盤底筋群３２は弛緩して便が出やすい状態となる。
【００４２】
その後、図示しないタイマー１により所定の時間が計測されると制御部２１は。第一振動機構２２を停止させる（Ｓ４）。
【００４３】
そして、図示しないタイマー２により計測されたスタート後からの経過時間が所定時間に達したかどうかの判断がなされ、所定時間が経過していない場合には制御部２１はＳ１からの動作を繰り返す。所定時間が経過した場合には振動装置１０全体を停止させる。
【００４４】
以上のように、第一振動機構２２と、第二振動機構２４及び第三振動機構２６とが交互に振動することにより、大腸３４の蠕動運動が促され、かつ骨盤底筋群３２が弛緩することで排便が促進される。
【００４５】
次に、図８を用いて、本発明の実施形態の変形例１に係る振動装置の使用方法について説明する。図８は、本発明の実施形態の変形例１に係る振動装置の使用方法の工程図であり、スタート後にすべての振動機構が振動を開始し、所定時間経過後にすべての振動が停止するモードである。
【００４６】
まず、使用者が振動装置１０にまたがって座った後にスタートボタンを押しスタートする。振動装置１０がスタートすると、制御部２１は第一振動機構２２、第二振動機構２４及び第三振動機構２６をそれぞれ所定の振動数で振動を開始させる（Ｓ１ａ）。この時、スタートボタンとは別に用意した加熱ボタンを押すことにより、加熱機構２７が所定の温度まで加熱し、使用者の腹部を加熱させることができる。
【００４７】
ここで、第二振動機構２４及び第三振動機構２６が振動することにより、振動は使用者の左右の側腹部を通して大腸３４まで到達し、大腸３４の蠕動運動が促進され、大腸３４に溜まった便の排出が促される。また、第一振動機構２２が振動することで骨盤底筋群３２が強く振動され、固まった骨盤底筋群３２が弛緩して排便が促進される。つまり、第一振動機構と第二振動機構２４及び第三振動機構２６が同時に振動することにより、骨盤底筋群３２の弛緩と大腸３４の蠕動運動が同時に促進され、便が強固に詰まった状態であっても排便が促進される。
【００４８】
その後、図示しないタイマー２により計測されたスタート後からの経過時間が所定時間に達したかどうかの判断がなされ、所定の時間が経過していない場合には制御部２１は振動を継続し、所定の時間が経過した場合には振動装置１０全体を停止させる（Ｓ２ａ）。
【００４９】
以下、本発明を実施例および比較例により、振動装置の試験結果を示すが、これらの実施例は本発明を限定するものでない。
【００５０】
（実施例１）
被験者として、週に１回程度の排便しかない便秘の症状が重たい２０〜６０代の女性に対して実験を行った。被験者は、本発明に係る振動装置１０の第一振動機構２２と第二振動機構２４及び第三振動機構２６とが同時に振動を繰り返すモードを毎日５分間、朝食後、昼食後、夕食後の３回に分けておこなった。被験者は振動に合わせて肛門を１０秒締め、その後３０秒緩めるという運動を５分間行った。それ以外の生活は普段のままとし、試験開始から１週間ごとの排便の回数の記録を行った。結果を表1に示す
【００５１】
【表１】
0006651044.tif 000002
【００５２】
（実施例２）
被験者として、実施例１と同様に、週に１回程度の排便しかない便秘の症状が重たい２０〜６０代の女性に対して実験を行った。被験者は、加熱機構２７により腹部を４０℃に加熱した以外は実施例１と同様に行った。結果を表２に示す。
【００５３】
【表２】
0006651044.tif 000003
【００５４】
（比較例１）
被験者として、実施例１と同様に、週に１回程度の排便しかない便秘の症状が重たい２０〜６０代の女性に対して実験を行った。被験者は本発明に係る振動装置１０にまたがり、振動機構と加熱機構を使用せずに、肛門を１０秒締め、その後３０秒緩めるという運動を毎日５分間、朝食後、昼食後、夕食後の３回に分けておこなった。それ以外の生活は普段のままとし、試験開始から１週間ごとの排便の回数の記録を行った。結果を表３に示す。
【００５５】
【表３】
0006651044.tif 000004
【００５６】
上の表１〜表３の数字は１週間ごとの排便の回数である。この結果より、実施例１では、すべての人で開始前よりも第４周目の排便回数が増加しており、平均排便回数は３．３回と開始前に比べて３倍以上の数値となった。
【００５７】
また、実施例２では、すべての人で大幅な改善がみられ、第４周目の排便回数は開始前と比べて約４倍と大きく向上した。この結果より、振動と加熱の併用が排便の促進には効果が高いことがわかる。
【００５８】
一方、比較例１の運動のみのグループでは第４周目の排便回数も平均２．３回であり、中には全く変化のない人もいた。振動装置１０を用いないグループでは便秘の症状を改善する効果は低いことがわかる。
【００５９】
以上のように、本発明によれば、簡単な操作の装置により排便を効果的に促進することができる。また、左右の側腹部に刺激を与えることで大腸３４の蠕動運動を促し、さらに骨盤低筋群３２に振動を与えることで骨盤底筋郡３２を弛緩させて、便秘の症状が重い人でも効果的に排便を促進することができる。
【００６０】
上述した実施形態では加熱機構２７としてヒーターを用いていたが、所定の温度で加熱できるものであれば特に限定されるものではない。例えば、ニクロムヒーター、セラミックヒーター、ステンレス繊維ヒーターなどが用いることができる。
【００６１】
また、上述した実施形態では、制御部２１は腹当部１４の内部に配設されていたが、制御部２１は腹当部１４の上部や座部１２の内部に設置することもできる。
【００６２】
そして、上述した座部１２、腹当部１４、左側腹当部１６、右側腹当部１８及び後方座部２０の外装に使用される弾性体は、例えばゴム、スポンジ、ウレタン樹脂、ゴム、発泡ポリオレフィンなどを用いることができるがこれらに限定されるものではない。
【００６３】
さらに、上述した振動装置としては、超音波振動子、バイブレーター、振動モーターなどがあるがこれらに限定されるものではない。なお、振動装置１０を床の上において使用することもできる。
【符号の説明】
【００６４】
１０  振動装置
１２  座部
１４  腹当部
１６  左側腹当部
１８  右側腹当部
２０  後方座部
２１  制御部
２２  第一振動機構
２４  第二振動機構
２６  第三振動機構
２７  加熱機構
２８  臀部
３０  肛門部
３２  骨盤底筋群
３４  大腸
【要約】
【課題】
簡単な操作の装置により排便を効果的に促進し、便秘の状態が重たい人でも効果的に排便を促せる装置を提供する。
【解決手段】
使用者がまたがって座る座部と、前記座部から延在し、前記使用者の腹部が接触する腹当部と、前記腹当部の側面に設けられ、前記使用者の左側の側腹部が接触する左側腹当部と、前記使用者の右側の側腹部が接触する右側腹当部と、を備え、座部に備えられた第一振動機構が骨盤低筋群に振動を与え、左側腹当部に備えられた第二振動機構と右側当部に備えられた第三振動機構が大腸に振動を与えることにより、排便を効果的に促進することができる。
【選択図】図１【図１】
0006651044.tif 000005
【図２】
0006651044.tif 000006
【図３】
0006651044.tif 000007
【図４】
0006651044.tif 000008
【図５】
0006651044.tif 000009
【図６】
0006651044.tif 000010
【図７】
0006651044.tif 000011
【図８】
0006651044.tif 000012